(57)【要約】【課題】積載手段に積載したシートが積載手段から落下し難いシート積載装置を提供する。【解決手段】原稿排出トレイ５２は、回動可能であってシートが積載される。原稿供給トレイ５１は、原稿排出トレイ５２の上方を開閉可能である。突出部５４及び突当板５３は、原稿排出トレイ５２と原稿供給トレイ５１の少なくとも一方に設けられ、原稿供給トレイ５１が原稿排出トレイ５２の上方を開放することに連動して、原稿排出トレイ５２と原稿供給トレイ５１との間に生じる、原稿排出トレイ５２が回動した際に下方を向く開放領域を塞ぐ。【選択図】図８
2018127300.tif 000002
【特許請求の範囲】
【請求項１】
シートを積載するための回動可能な積載手段と、
前記積載手段の上方を開閉可能な開閉手段と、
前記積載手段と前記開閉手段の少なくとも一方に、前記開閉手段が前記積載手段の上方を開放することに連動して、前記積載手段と前記開閉手段との間に生じる、前記積載手段が回動した際に下方を向く開放領域を塞ぐ遮蔽手段と、を有する、
ことを特徴とするシート積載装置。
【請求項２】
前記開閉手段は、前記積載手段に積載されるシートを取り出す際に開放可能である、
ことを特徴とする請求項１に記載のシート積載装置。
【請求項３】
前記遮蔽手段は、前記開閉手段から前記積載手段に向って設けられている、
ことを特徴とする請求項１又は２に記載のシート積載装置。
【請求項４】
前記遮蔽手段は、前記開閉手段に設けられて、付勢手段により付勢されることで前記積載手段に向って突出しており、前記開閉手段が閉鎖しているときは、前記積載手段と接触することで前記付勢手段の付勢力に抗して前記開閉手段に収納される、
ことを特徴とする請求項１又は２に記載のシート積載装置。
【請求項５】
前記遮蔽手段は、前記開閉手段から前記積載手段に向って設けられ、前記開閉手段が閉鎖しているときは、前記積載手段の凹部に収納される、
ことを特徴とする請求項１又は２に記載のシート積載装置。
【請求項６】
前記開閉手段はシートを積載可能であって、当該開閉手段に積載されるシートを給送して前記積載手段へ排出するシート搬送手段をさらに備える、
ことを特徴とする請求項１乃至５のいずれか１項に記載のシート積載装置。
【請求項７】
請求項１乃至６のいずれか１項に記載のシート積載装置と、
前記シート積載装置に積載されるシートの画像を読取る読取手段と、
前記読取手段により読取られた画像に基づいて記録媒体に画像を形成する画像形成手段と、を備える、
ことを特徴とする画像形成装置。
【発明の詳細な説明】
【技術分野】
【０００１】
本発明は、シートが積載されるシート積載装置に関する。
【背景技術】
【０００２】
上段の積載トレイに積載した原稿を１枚ずつ取り出して原稿の画像を読み取り、下段の積載トレイへ搬送して排出する自動原稿搬送装置を搭載した画像形成装置が広く用いられている。このような自動原稿搬送装置では、自動原稿搬送装置の下方にプラテンガラスが配置されており、プラテンガラス上に載置される原稿を上方から押さえ付ける圧板の機能も兼用する自動原稿搬送装置は奥側を回動支点として、回動自在に構成されている。このため、自動原稿搬送装置が回動されると、上段の積載トレイが後方へ回動して、下段の積載トレイに積載している原稿が、上段の積載トレイと下段の積載トレイとの隙間から落下する可能性がある。
【０００３】
特許文献１では、上段の積載トレイと下段の積載トレイとを連結する着脱自在な突当部であるストッパ部材を設けて、上段の積載トレイと下段の積載トレイとを一体に後方へ回動させた際にストッパ部で後方へ滑り落ちる原稿を受け止めている。
【先行技術文献】
【特許文献】
【０００４】
【特許文献１】特開平１１−２０９５７号公報
【発明の概要】
【発明が解決しようとする課題】
【０００５】
下段の積載トレイに積載された原稿の取り出しを容易にするために、上段の積載トレイが上方へ大きく移動自在に設けられている場合がある。例えば、図３に示すように、上段の積載トレイ（５１）を上方へ大きく回動させて下段の積載トレイ（５３）との間隔を広げた状態で、下段の積載トレイ（５３）に積載された原稿が取り出される。
【０００６】
しかし、上段の積載トレイが下段の積載トレイに対して上方へ大きく移動自在である場合、下段の積載トレイを後方へ回動して起立状態にした際に、上段の積載トレイが下段の積載トレイから大きく開いてしまう可能性がある。そして、上段の積載トレイと下段の積載トレイとの間の広がった隙間（ＳＭ）を通じて、下段の積載トレイに積載されていた原稿が落下する可能性がある。
【０００７】
本発明は、積載手段に積載したシートが積載手段から落下し難いシート積載装置を提供することを目的としている。
【課題を解決するための手段】
【０００８】
本発明のシート積載装置は、シートを積載するための回動可能な積載手段と、前記積載手段の上方を開閉可能な開閉手段と、前記積載手段と前記開閉手段の少なくとも一方に、前記開閉手段が前記積載手段の上方を開放することに連動して、前記積載手段と前記開閉手段との間に生じる、前記積載手段が回動した際に下方を向く開放領域を塞ぐ遮蔽手段と、を有するものである。
【発明の効果】
【０００９】
本発明によれば、積載手段に積載したシートを積載手段から落下し難くすることができる。
【図面の簡単な説明】
【００１０】
【図１】実施の形態１の複写機の構成の説明図である。
【図２】自動原稿搬送装置の構成の説明図である。
【図３】原稿供給トレイの回動動作の説明図である。
【図４】原稿供給トレイの通常状態の説明図である。
【図５】原稿供給トレイの開放状態の説明図である。
【図６】通常状態における突当板及び突出部の斜視図である。
【図７】開放状態における突当板及び突出部の斜視図である。
【図８】自動原稿搬送装置を起立状態にした際の突当板及び突出部の斜視図である。
【図９】実施の形態２におけるシート規制板の動作の説明図である。（ａ）は通常状態、（ｂ）は開放状態である。
【図１０】自動原稿搬送装置を起立状態にした際の突当板及び突出部の斜視図である。
【図１１】その他の実施の形態の例の説明図である。（ａ）は挿入方式、（ｂ）は蛇腹方式である。
【発明を実施するための形態】
【００１１】
以下、本発明の実施の形態を、添付した図面を参照して詳細に説明する。
【００１２】
＜実施の形態１＞
実施の形態１では画像形成装置に自動原稿搬送装置として搭載されたシート積載装置の実施の形態を説明する。
【００１３】
（画像形成装置）
図１は実施の形態１の複写機の構成の説明図である。図１に示すように、画像形成装置の一例である複写機１０は、画像読取装置１１で読み取る原稿Ｇの画像をシートＰに画像形成可能な電子写真方式の画像形成装置である。画像形成手段の一例である画像形成部１２及び定着装置２６は、画像読取装置１１により読取られた画像に基づいて記録媒体のシートＰに画像を形成する。
【００１４】
画像形成部１２は、感光ドラム２０の周囲に帯電ローラ２１、露光装置２２、現像装置２３、転写ローラ２４、及びドラムクリーニング装置２５を配置している。感光ドラム２０は、周面に感光層を形成され、矢印Ａ方向に回転駆動される。帯電ローラ２１は、帯電電圧を印加されて感光ドラム２０の周面を一様な電位に帯電させる。露光装置２２は、レーザービームにより感光ドラム２０の周面を走査露光して画像の静電潜像を形成する。制御部１１０は、画像読取装置１１が読み取る画像情報に基づいて原稿の画像データを生成し、画像データを展開して走査露光に用いる画像信号を生成する。
【００１５】
現像装置２３は、現像剤担持体である現像スリーブ２３ａに現像剤を担持して感光ドラム２０の静電潜像をトナー像に現像する。転写ローラ２４は、転写電圧を印加されて、感光ドラム２０に担持されたトナー像を、シート給送部１３により給送されて転写部Ｔを通過するシートＰに転写する。定着装置２６は、トナー像を転写されたシートＰを加熱加圧してシートに画像を定着させる。画像が定着されたシートＰは、排出ローラ３４によって排出トレイ３５へ排出される。ドラムクリーニング装置２５は、回転ブラシを感光ドラム２０に摺擦させて転写残トナーを回収する。
【００１６】
シート給送部１３は、カセット３０に積載されるシートＰもしくは手差し給送トレイ１５に積載されるシートＰを転写部Ｔへ搬送する。カセット３０はシートＰを収容する。ピックアップローラ３１は、カセット３０に積載されるシートＰを取り出す。分離部３２は、最上位のシートＰをレジストローラ３３へ搬送し、最上位のシートＰに重なった重送シートをカセット３０へ押し戻す。レジストローラ３３は、感光ドラム２０のトナー像にタイミングを合わせて転写部ＴにシートＰを給送する。
【００１７】
（画像読取装置）
図１に示すように、複写機１０の上部に原稿Ｇ、Ｄの画像を読み取る画像読取装置１１が配置される。画像読取装置１１は、プラテンガラス１６の上に自動原稿搬送装置１４を配置している。自動原稿搬送装置１４は、後方へ回動してプラテンガラス１６の上面を開放可能である。原稿押さえカバー１７は、プラテンガラス１６の上に載置された原稿Ｇを押圧してプラテンガラス１６に密着させる。原稿押さえカバー１７の上面に、自動原稿搬送装置１４から排出される原稿を積載する原稿排出トレイ５２が配置されている。
【００１８】
画像読取ユニット１９は、主走査方向（紙面に垂直な方向）に長く形成された撮像素子と撮像素子に沿って配置された照明素子とを有する。画像読取装置１１は、固定読みモードと流し読みモードとを実行可能である。固定読みモードでは、プラテンガラス１６上に原稿Ｇが載置され、原稿押さえカバー１７によりプラテンガラス１６へ押圧される。画像読取ユニット１９は、プラテンガラス１６の下で副走査方向（矢印方向）に移動して、原稿Ｇの下面の画像を読み取る。
【００１９】
これに対して、流し読みモードでは、画像読取ユニット１９は、副走査方向の所定位置に設定された読取位置へ位置決められる。自動原稿搬送装置（ＡＤＦ：Ａｕｔｏ  Ｄｏｃｕｍｅｎｔ  Ｆｅｅｄｅｒ）１４は、原稿供給トレイ５１に積載されるシートの一例である原稿Ｄを１枚ずつ、停止した画像読取ユニット１９の上方に通過させる。画像読取ユニット１９は、移動する原稿Ｄの下面の画像を連続的に読み取る。
【００２０】
（自動原稿搬送装置）
図２は自動原稿搬送装置の構成の説明図である。図３は原稿供給トレイの回動動作の説明図である。図２に示すように、読取手段の一例である画像読取装置１１は、シート積載装置の一例である自動原稿搬送装置１４に積載される原稿Ｄの画像を読取る。画像読取装置１１は、自動原稿搬送装置１４により搬送される原稿の画像を読取る。原稿供給トレイ５１は、原稿Ｄを積載可能である。シート搬送手段の一例である搬送部５０は、原稿供給トレイ５１に積載される原稿Ｄを給送して原稿排出トレイ５２へ排出する。自動原稿搬送装置１４は、原稿供給トレイ５１から１枚ずつ原稿を取り出して原稿排出トレイ５２へ搬送する。
【００２１】
搬送部５０は、原稿を、図１に示す複写機１０の前後方向に対して垂直な左右方向に搬送する。搬送部５０は、原稿供給トレイ５１に積載される原稿を最上位から１枚ずつ取り出して、読取位置で停止している画像読取ユニット１９の上方を通過させ、原稿を原稿排出トレイ５２へ排出して積載する。
【００２２】
原稿供給トレイ５１は、シート搬送方向の先端側から搬送部５０へ向ってなだらかに傾斜している。これにより、原稿供給トレイ５１に載置される原稿は、原稿供給トレイ５１の傾斜に沿って滑り落ちて搬送部５０へ容易に受け渡される。原稿排出トレイ５２は、原稿の搬送方向に沿って原稿供給トレイ５１と略平行となるように、原稿押さえカバー１７の上面に一体的に形成されている。搬送部５０は、原稿供給トレイ５１から搬送部５０へ搬送する搬送方向とは逆方向に原稿を排出して原稿排出トレイ５２に積載する。
【００２３】
ピックアップローラ２ａは、下降して原稿供給トレイ５１に積載された最上位の原稿に当接して回転し、原稿を搬送ローラ２ｂと分離ローラ２ｃのニップ部へ送り込む。搬送ローラ２ｂは搬送方向に回転駆動されているため、最上位の原稿に当接して下流側に位置するレジストローラ２ｄへ送り出す。一方、分離ローラ２ｃは、ワンウェイクラッチを介して搬送方向と逆方向に回転駆動されているため、最上位の原稿Ｄに重なって重送される原稿Ｄが給送されるときは重送シートを原稿供給トレイ５１へ押し戻す。レジストローラ２ｄは、原稿の斜行を矯正した後、原稿を搬送してリードローラ２ｆからリードローラ２ｇへ受け渡す。ホワイトローラ（白色ローラ）２ｅは、画像読取ユニット１９の上方を通過する原稿を、プラテンガラス１６に案内する。ホワイトローラ２ｅとプラテンガラス１６の間を通過して画像を読み取られた原稿は、リードローラ２ｇから排出ローラ２ｈへ受け渡されて原稿排出トレイ５２へ排出される。
【００２４】
図３に示すように、自動原稿搬送装置１４は、複写機１０の上部に搭載されている。自動原稿搬送装置１４は、原稿供給トレイ５１に積載される原稿を搬送部５０へ取り込んで搬送し、その後、画像読取装置１１で画像を読み取られた原稿を搬送部５０から排出して原稿排出トレイ５２へ積載する。
【００２５】
自動原稿搬送装置１４は、画像読取装置１１に対して全体を矢印Ｆ方向へ大きく回動して、略直立状態に姿勢を保持させることができる。画像読取装置１１は、自動原稿搬送装置１４の全体を後方へ回動することにより、画像読取装置１１の原稿載置面を開放可能である。原稿供給トレイ５１は、搬送部５０に対して矢印Ｅ方向へ回動自在である。原稿供給トレイ５１を矢印Ｅ方向へ大きく開いて原稿供給トレイ５１と原稿排出トレイ５２との間隔を拡大することにより、原稿排出トレイ５２に積載された原稿を容易に取り出すことができる。
【００２６】
（原稿供給トレイの移動）
図４は原稿供給トレイの通常状態の説明図である。図５は原稿供給トレイの開放状態の説明図である。図４に示すように、積載手段の一例である原稿排出トレイ５２は、回動可能であって原稿Ｄが積載される。開閉手段の一例である原稿供給トレイ５１は、原稿排出トレイ５２の上方を開閉可能である。通常状態の原稿供給トレイ５１は、搬送部５０へ向って緩やかに低くなる傾斜を有する。通常状態において、自動原稿搬送装置１４は、原稿供給トレイ５１から原稿を給送し、画像読取がされた原稿を原稿供給トレイ５１の下に配置した原稿排出トレイ５２へ排出して積載する。
【００２７】
しかし、通常状態の自動原稿搬送装置１４は、原稿排出トレイ５２の積載面と原稿供給トレイ５１の底面との間隔が狭く、原稿排出トレイ５２に積載された原稿を正面側から取り出し難い。そこで、原稿排出トレイ５２に排出された原稿Ｄの取り出しを容易にするために、原稿Ｄの搬送機構を収容した搬送部５０及び原稿排出トレイ５２に対して原稿供給トレイ５１が上方へ移動可能に設けられている。原稿供給トレイ５１は、原稿排出トレイ５２に積載される原稿Ｄを取り出す際に開放可能である。原稿供給トレイ５１と搬送部５０の搬送機構を覆うカバーとが回動自在に係合している。原稿供給トレイ５１は、回動中心５１ａの周りで回動させて上方へ持ち上げることにより開放可能である。
【００２８】
図５に示すように、原稿供給トレイ５１を上方へ持ち上げた開放状態では、原稿排出トレイ５２の積載面と原稿供給トレイ５１の底面との間隔が広くなって、原稿排出トレイ５２に積載された原稿を取り出し易い。
【００２９】
ここで、図３に示すように、自動原稿搬送装置１４を矢印Ｆ方向へ回動させた場合、原稿排出トレイ５２の奥側に設けた突当部１８の突当面１８ａに受け止められて、原稿排出トレイ５２上の原稿が後方へ滑り落ちることが阻止される。
【００３０】
しかし、自動原稿搬送装置１４をさらに回動させて起立状態にしたとき、原稿排出トレイ５２に対して回動自在な原稿供給トレイ５１が回動をして、突当部１８と原稿供給トレイ５１の隙間から原稿が落下する可能性がある。
【００３１】
そこで、実施の形態１では、図５に示すように、原稿排出トレイ５２（突当部１８）に固定された突出部５４と原稿供給トレイ５１に固定された突当板５３とをオーバーラップさせて、突当部１８と原稿供給トレイ５１との隙間を塞いでいる。
【００３２】
遮蔽手段の一例である突出部５４及び突当板５３は、原稿排出トレイ５２と原稿供給トレイ５１の少なくとも一方に設けられている。突出部５４及び突当板５３は、原稿供給トレイ５１が原稿排出トレイ５２の上方を開放することに連動して、原稿排出トレイ５２と原稿供給トレイ５１との間に生じる、原稿排出トレイ５２が回動した際に下方を向く開放領域を塞ぐ。これにより、自動原稿搬送装置１４を回動して起立状態にした際に原稿供給トレイ５１が回動しても、突出部５４と突当板５３との間に隙間ができなくなった。
【００３３】
（突当板及び突出部）
図６は通常状態における突当板及び突出部の斜視図である。図７は開放状態における突当板及び突出部の斜視図である。図８は自動原稿搬送装置を回動して起立状態にした際の突当板及び突出部の斜視図である。
【００３４】
図６に示すように、自動原稿搬送装置１４は、原稿供給トレイ５１が低い位置にある通常状態において、原稿供給トレイ５１に積載される原稿Ｄが搬送部５０に取り込まれ、搬送部５０により搬送され、搬送部５０から原稿排出トレイ５２へ排出される。サイド規制板５５は、原稿供給トレイ５１に対して矢印Ｈ方向へ移動可能である。ユーザは、原稿供給トレイ５１へ原稿をセットした際に、サイド規制板５５を手動操作して原稿の幅方向の両端を規制する。
【００３５】
突当板５３は、原稿供給トレイ５１から原稿排出トレイ５２に向って設けられている。突当板５３は、原稿供給トレイ５１の底面に設けられ、回動軸線６１側へ向かう方向に突当部１８と重なり合う。このため、原稿供給トレイ５１を原稿排出トレイ５２から遠ざかる方向へ移動した際に突当板５３と突当部１８との間に原稿（Ｄ：図１）が通過する隙間が発生しない。
【００３６】
突当板５３は、原稿供給トレイ５１の下面に固定されている。突当板５３は、原稿供給トレイ５１の下面から下方へ向って垂直方向に延びている。突当板５３は、自動原稿搬送装置１４を後方へ回動させて起立状態にする際の回動軸線６１側に位置する。図６に示すように、突当板５３は、通常状態では、原稿排出トレイ５２と干渉しない位置にある。このため、突当板５３は、原稿供給トレイ５１の回動を妨げない。
【００３７】
突出部５４は、原稿排出トレイ５２の突当部１８に設けられて三角形の壁状に上方へ突出している。突出部５４は、原稿排出トレイ５２の突当部１８から上方へ向って延びている。突出部５４は、突当部１８の突当面１８ａに連続した三角形の突当面５４ａを形成している。突出部５４は、搬送部５０から排出される原稿の搬送経路よりも回動軸線６１側に位置する。
【００３８】
突当板５３は、開放状態であっても、突出部５４と先端部が重なっている。このため、原稿供給トレイ５１が最大限に上方へ退避しても突当板５３と突出部５４との間を原稿（Ｄ：図１）がすり抜けて落下することはない。
【００３９】
図８に示すように、ユーザは、自動原稿搬送装置１４の正面側を持ち上げて回動軸線６１の周りで矢印Ｆ方向に回動させることにより、自動原稿搬送装置１４を起立状態にすることができる。このとき、突当部１８は、原稿排出トレイ５２に沿って奥側の回動軸線６１側へ向かう原稿（Ｄ：図１）に突当る。突当板５３及び突出部５４は、原稿供給トレイ５１が遠ざかる方向へ移動して形成される原稿供給トレイ５１と原稿排出トレイ５２との隙間ＳＭで回動軸線６１側へ向かう原稿（Ｄ：図１）に突当る。このため、自動原稿搬送装置１４を起立状態にした際に原稿供給トレイ５１が回動しても原稿（Ｄ：図１）が突当板５３及び突出部５４に受け止められて落下しない。
【００４０】
（実施の形態１の効果）
実施の形態１では、原稿排出トレイ５２上に原稿がある場合や、ＪＡＭ処理などで、原稿排出トレイ５２から原稿を引き抜く場合に、ユーザが原稿供給トレイ５１を持って上方へ大きく退避させる。このとき、原稿供給トレイ５１を持つ部分と反対側に突当板５３を設けているため、突当板５３が原稿供給トレイ５１の回動操作の邪魔にならない。
【００４１】
実施の形態１では、原稿供給トレイ５１の通常状態において原稿排出トレイ５２に干渉しない位置に突当板５３を配置し、原稿供給トレイ５１の開放状態において突当板５３に重なる位置に突出部５４を配置している。このため、原稿供給トレイ５１と突当部１８との間から落下する原稿を受け止めるための構成が簡単である。
【００４２】
実施の形態１では、自動原稿搬送装置１４を傾動させた状態で原稿供給トレイ５１が回動しても、突当板５３と突出部５４とにより、原稿排出トレイ５２に排出された原稿の落下を防止することができる。
【００４３】
実施の形態１では、突出部５４が原稿排出トレイ５２に固定され、突当板５３が原稿供給トレイ５１に固定されている。したがって、着脱する部品や保管しておく部品が存在せず、このような部品を紛失してしまう心配が不要である。
【００４４】
＜実施の形態２＞
実施の形態１では、突当板５３が１枚の板状の部材であった。これに対して、実施の形態２では、突当板５３の下部に板状の拡張板５６を下方へ展開／上方へ収容可能に連結してある。
【００４５】
（突当板及び突出部）
図９は実施の形態２における突当板５３の動作の説明図である。図１０は自動原稿搬送装置を起立状態にした際の突当板及び突出部の斜視図である。図９中、（ａ）は通常状態、（ｂ）は開放状態、である。実施の形態２は、実施の形態１と同一の複写機１０において、突当板５３の構成が異なる以外は実施の形態１と同一に構成される。このため、図９、図１０中、実施の形態１と共通する構成には図４〜図８と同一の符号を付して重複する説明を省略する。
【００４６】
図９の（ａ）に示すように、通常状態では、突当板５３の下端部に連結された拡張板５６は、原稿排出トレイ５２に当接して突当板５３に沿って上昇した位置で突当板５３に重なっている。
【００４７】
図９の（ｂ）に示すように、遮蔽手段の一例である拡張板５６は、原稿供給トレイ５１に設けられて、付勢手段の一例である圧縮コイルばね５６ｂにより付勢されることで原稿排出トレイ５２に向って突出している。拡張板５６は、図９の（ａ）に示すように原稿供給トレイ５１が閉鎖しているときは、原稿排出トレイ５２と接触することで圧縮コイルばね５６ｂの付勢力に抗して原稿供給トレイ５１に収納される。
【００４８】
拡張板５６は、回動軸５６ａを中心にして上下方向へ回動可能である。拡張板５６は、原稿供給トレイ５１の底面との間に設けた圧縮コイルばね５６ｂによって下方へ付勢されている。このため、原稿供給トレイ５１を持ち上げて通常状態から開放状態へ移動させると、原稿供給トレイ５１の回動に伴って突当板５３から拡張板５６が展開して、突当板５３の面積が実質的に拡張される。突当板５３及び拡張板５６は、原稿供給トレイ５１の遠ざかる方向の移動に伴って原稿に突当たることが可能な領域を増大させる。
【００４９】
図１０に示すように、ユーザが自動原稿搬送装置１４を回動して起立状態にした時、原稿供給トレイ５１が意図しない回動をする場合がある。自動原稿搬送装置１４を起立状態にした状態で原稿供給トレイ５１が回動して開放状態になる場合がある。このとき、拡張板５６が突当板５３から展開して出てくる。突当板５３に設けられた拡張板５６を展開することにより、突当板５３と突出部５４との間が塞がれる。このため、原稿排出トレイ５２上にある原稿が突当板５３と突出部５４との隙間を通じて落下することを防止できる。原稿供給トレイ５１が回動し過ぎて突当板５３と突出部５４とが重ならない場合でも、展開される拡張板５６によって原稿を受け止めることができる。
【００５０】
＜その他の実施の形態＞
図１１はその他の実施の形態の例の説明図である。図１１中、（ａ）は挿入方式、（ｂ）は蛇腹方式である。
【００５１】
図１１の（ａ）に示すように、画像読取装置１１の上面に自動原稿搬送装置１４が回動軸線６１を中心にして後方へ回動可能に設置されている。原稿供給トレイ５１の下面にピン５３Ｅが固定され、原稿排出トレイ５２にピン５３Ｅを挿抜自在な穴５３ｈが形成されている。遮蔽手段の一例であるピン５３Ｅは、原稿供給トレイ５１から原稿排出トレイ５２に向って設けられ、原稿供給トレイ５１が閉鎖しているときは、原稿排出トレイ５２の凹部の一例である穴５３ｈに収納される。
【００５２】
自動原稿搬送装置１４は、原稿供給トレイ５１を一点鎖線の位置まで持ち上げた際に原稿供給トレイ５１と原稿排出トレイ５２との間に隙間ＳＭが形成される。しかし、隙間ＳＭは、突当部１８の突当面１８ａとピン５３Ｅとがオーバーラップして塞がれている。
【００５３】
図１１の（ｂ）に示すように、原稿供給トレイ５１と原稿排出トレイ５２とを連絡して折り畳んだ蛇腹壁５３Ｆが設けられている。原稿供給トレイ５１を一点鎖線の位置まで持ち上げた際に原稿供給トレイ５１と原稿排出トレイ５２との間に隙間ＳＭが形成される。しかし、隙間ＳＭは、折り畳まれた蛇腹壁５３Ｆが展開して塞がれている。
【００５４】
本発明のシート積載装置は、実施の形態１、２で説明した具体的な構成及び制御には限定されない。
【００５５】
実施の形態１、２では、複写機に搭載されたシート積載装置の実施例を説明したが、シート積載装置を装備する装置は複写機には限らない。インクジェットプリンタ、電子写真方式のプリンタ、ファクシミリ、複合機等の画像形成装置であってもよい。
【００５６】
実施の形態１、２では、画像読取装置で読取られた原稿を積載する実施の形態を説明したが、積載されるシートは画像を読み取られた原稿には限らない。画像読取装置でこれから画像を読み取られる原稿、印刷に供される未使用の記録材シート、穴明け、針綴じ等のシート処理に供されるシートであってもよい。
【００５７】
実施の形態１、２では、図８に示すように、原稿供給トレイ５１に設けられた突当板５３と原稿排出トレイ５２に設けた突出部５４とをオーバーラップさせて隙間ＳＭを通じた原稿の落下を防止した。しかし、原稿供給トレイ５１に設けられた突当手段のみ、原稿排出トレイ５２に設けられた突当手段のみによって隙間ＳＭを通じた原稿の落下を防止してもよい。
【符号の説明】
【００５８】
１０：複写機（画像形成装置）、１１：画像読取装置（読取手段）、１２：画像形成部（画像形成手段）、１４：自動原稿搬送装置（シート積載装置）、１８：突当部、１８ａ：突当面、１９：画像読取ユニット、２６：定着装置（画像形成手段）、５０：搬送部（搬送手段）、５１：原稿供給トレイ（開閉手段）、５２：原稿排出トレイ（積載手段）、５３：突当板（遮蔽手段）、５３Ｅ：ピン（遮蔽手段）、５３ｈ：穴（凹部）、５４：突出部（遮蔽手段）、５４ａ：突当面、５５：サイド規制板、５６：拡張板（遮蔽手段）、５６ａ：回動軸、５６ｂ：圧縮コイルばね（付勢手段）、５６ｃ：案内溝、６１：回動軸線、Ｄ：原稿（シート）、Ｐ：シート（記録媒体）、ＳＭ：隙間
【図１】
2018127300.tif 000003
【図２】
2018127300.tif 000004
【図３】
2018127300.tif 000005
【図４】
2018127300.tif 000006
【図５】
2018127300.tif 000007
【図６】
2018127300.tif 000008
【図７】
2018127300.tif 000009
【図８】
2018127300.tif 000010
【図９】
2018127300.tif 000011
【図１０】
2018127300.tif 000012
【図１１】
2018127300.tif 000013